(57)【要約】【課題】スピニングリールのスプールにおいて、前フランジ部を変形しにくくする。【解決手段】スプール４は、ロータの第１ロータアームと第２ロータアームとの間に配置されており、スプール軸１５の先端にドラグ機構６０を介して装着されている。スプール４は、糸巻胴部４ａと、糸巻胴部４ａの前端部に固定された前フランジ部４ｃと、前フランジ部４ｃの前部に配置された前フランジ補強部材４ｂと、前フランジ部４ｃとの間に前フランジ補強部材４ｂを挟持して糸巻胴部４ａに取り付けられた前フランジ固定部材５５と、糸巻胴部４ａの後端部に一体に形成されたスカート部とを備えている。【選択図】      図４
2004166642.tif 000002
【特許請求の範囲】
【請求項１】
リール本体に対して前後移動自在に装着されるスピニングリールのスプールであって、
外周に釣り糸が巻き付けられる糸巻胴部と、
前記糸巻胴部の前端部に径方向外方に突出して装着される前フランジ部と、
前記前フランジ部を挟持するように前記糸巻胴部に装着される環状の前フランジ固定部材と、
前記前フランジ部と前記前フランジ固定部材との間に装着され、前記糸巻胴部の釣り糸巻き付け部分より大径の前フランジ補強部材と、
を備えたスピニングリールのスプール。
【請求項２】
前記前フランジ部は、金属薄板をプレス加工して形成されたものである、請求項１に記載のスピニングリールのスプール。
【請求項３】
前記前フランジ部は、リング状の金属薄板の外周縁を前側に重ねるように折り曲げ加工して形成され、
前記前フランジ補強部材は、前記折り曲げ部分の内周縁の内側に配置され、
前記前フランジ固定部材は、前記内周縁より大径部分で前記前フランジ部に接触している、請求項２に記載のスピニングリールのスプール。
【請求項４】
前記前フランジ補強部材は、前記前フランジ部より薄く形成されている、請求項３に記載のスピニングリールのスプール。
【請求項５】
前記前フランジ部は、前記糸巻胴部にねじ止めされている、請求項１から４のいずれかに記載のスピニングリールのスプール。
【請求項６】
前記前フランジ補強部材は、前記前フランジ部とともに前記糸巻胴部にねじ止めされている、請求項１から５のいずれかに記載のスピニングリールのスプール。
【請求項７】
前記前フランジ固定部材は、前記前フランジ部を貫通して前記糸巻胴部にねじ止めされている、請求項１から６のいずれかに記載のスピニングリールのスプール。
【請求項８】
前記前フランジ補強部材は、前記前フランジ部を前記糸巻胴部に向けて付勢可能な弾性体である、請求項１から７のいずれかに記載のスピニングリールのスプール。
【請求項９】
前記糸巻胴部の後端部に設けられたスカート部をさらに備える、請求項１から８のいずれかに記載のスピニングリールのスプール。
【発明の詳細な説明】
【０００１】
【発明の属する技術分野】
本発明は、スプール、特に、リール本体に対して前後移動自在に装着されるスピニングリールのスプールに関する。
【０００２】
【従来の技術】
一般に、スピニングリールは、ハンドルを回転自在に支持するリール本体と、ロータと、スプール軸に回転可能に装着されたスプールとを備えている。スピニングリールのスプールは、リール本体に対して前後移動自在であり、外周に釣り糸が巻き付けられる糸巻胴部と、糸巻胴部の後端部に設けられた大径筒状のスカート部と、糸巻胴部の前端部に設けられ前フランジ部と、前フランジ部を糸巻胴部に固定するための前フランジ部固定部材とを備えている。
【０００３】
このようなスピニングリールのスプールでは、釣り糸を放出しやすくするために、前フランジ部は外周側が前方に向かってわずかにテーパ状に傾斜して形成されている。前フランジ部が前フランジ固定部材とともに糸巻胴部の前端部にねじ止め固定されたスプール（たとえば、特許文献１参照）、および前フランジ固定部材を糸巻胴部に螺合することにより前フランジ部が糸巻胴部と前フランジ固定部材とで挟持され固定されたスプール（たとえば、特許文献２参照）が、従来から知られている。
【０００４】
【特許文献１】
特開平１１−１５５４３２号参照（第２図）
【０００５】
【特許文献２】
特開２０００−３４２１２９号参照（第２図）
【０００６】
【発明が解決しようとする課題】
従来のスピニングリールのスプールでは、前フランジ部を前フランジ固定部材によって糸巻胴部に固定することで、前フランジ部と糸巻胴部との一体性を確保することができる。しかしながら、スプールを回転させ釣り糸を前フランジ外周へと巻き取っていくと、前フランジ部の外周側が前方に向かってテーパ状に傾斜しているので、前フランジ部は釣り糸によって前方に強く押圧される。すると、状況によっては、前フランジ部が前方へと変形しやすくなる。たとえば、前フランジ部を前フランジ固定部材とともに糸巻胴部の前端部にねじ止め固定している場合、ねじ頭部を支点にして前フランジ部が前方に変形するおそれがある。そして、前フランジ部が前方に変形すると、糸巻胴部と前フランジ部との間に隙間が生じ、この隙間に糸カミが生じるおそれがある。
【０００７】
本発明の課題は、スピニングリールのスプールにおいて、前フランジ部を変形しにくくすることにある。
【０００８】
【課題を解決するための手段】
発明１に係るスピニングリールのスプールは、リール本体に対して前後移動自在に装着されるスピニングリールのスプールであって、糸巻胴部と、前フランジ部と、前フランジ固定部材と、前フランジ補強部材とを備えている。糸巻胴部では、釣り糸が外周に巻き付けられる。前フランジ部は、糸巻胴部の前端部に径方向外方に突出して装着されている。前フランジ固定部材は、環状に形成され、前フランジ部を挟持するように糸巻胴部に取り付けられている。前フランジ補強部材は、糸巻胴部の釣り糸巻き付け部分より大径に形成され、前フランジ部と前フランジ固定部材との間に装着されている。このスピニングリールのスプールでは、糸巻胴部の前端部に前フランジ部が装着される。前フランジ補強部材は、前フランジ部の前部に配置され、前フランジ部と前フランジ固定部材とによって挟持され固定される。
【０００９】
ここでは、前フランジ補強部材が、糸巻胴部の釣り糸巻き付け部分より大径に形成され、前フランジ部と前フランジ固定部材との間に装着されているので、前フランジ部が釣り糸によって前方に押圧されても、前フランジ補強部材によって、前フランジ部の強度および剛性が向上し、前フランジ部を変形しにくくすることができる。
【００１０】
発明２に係るスピニングリールのスプールは、発明１に記載のスピニングリールのスプールにおいて、前フランジ部が金属薄板をプレス加工して形成されている。この場合、前フランジ部が金属薄板をプレス加工して形成されるので、前フランジ部を容易に形成することができる。また、前フランジ部をシームレスにプレス加工することで、前フランジ部の強度を確保でき、糸カミ等も同時に防止することができる。
【００１１】
発明３に係るスピニングリールのスプールは、発明２に記載のスピニングリールのスプールにおいて、前フランジ部がリング状の金属薄板の外周縁を前側に重ねるように折り曲げ加工して形成されており、前フランジ補強部材が折り曲げ部分の内周縁の内側に配置されている。そして、前フランジ固定部材が折り曲げ部分の内周縁より大径部分で前フランジ部に接触している。
【００１２】
この場合、前フランジ部はリング状の金属薄板の外周縁を前側に重ねるように折り曲げ加工して形成されているので、釣り糸を前フランジ部からスムーズに前方へと送り出せるだけでなく、前フランジ部の剛性も同時に確保することができる。また、前フランジ補強部材が折り曲げ部分の内周縁の内側に配置されているので、前フランジ補強部材を前フランジ部に沿うように装着することができる。このように前フランジ補強部材を前フランジ部に装着することによって、前フランジ部の強度および剛性は向上し、前フランジ部は前方に変形しにくくなる。さらに、前フランジ固定部材が折り曲げ部分の内周縁より大径部分で前フランジ部に接触しているので、前フランジ固定部材が前フランジ補強部材と干渉しないように、前フランジ固定部材を前フランジ部に装着することができる。そして、前フランジ固定部材によって、折り曲げ部分での糸カミを防止することができ、さらには、前フランジ部の前方への変形を規制することができる。
【００１３】
発明４に係るスピニングリールのスプールは、発明３に記載のスピニングリールのスプールにおいて、前フランジ補強部材が、前フランジ部より薄く形成されている。この場合、前フランジ補強部材が前フランジ部より薄く形成されているので、前フランジ補強部材を前フランジ部に装着しても、前フランジ補強部材が装着された前フランジ部の厚みは前フランジ部の折り曲げ部分の厚みより薄くなる。したがって、前フランジ補強部材を、前フランジ部と前フランジ固定部材との間に有効に配置することができる。
【００１４】
発明５に係るスピニングリールのスプールは、発明１から４のいずれかに記載のスピニングリールのスプールにおいて、前フランジ部が糸巻胴部にねじ止めされている。この場合、前フランジ部が糸巻胴部にねじ止めされているので、前フランジ部と糸巻胴部との一体性を向上することができる。このように、前フランジ部と糸巻胴部との一体性が確保されれば、前フランジ部は、剛性の高い糸巻胴部に支持された状態で、釣り糸からの押圧に抵抗することができるので、前フランジ部は変形しにくくなる。
【００１５】
発明６に係るスピニングリールのスプールは、発明１から５のいずれかに記載のスピニングリールのスプールにおいて、前フランジ補強部材が、前フランジ部とともに糸巻胴部にねじ止めされている。この場合、前フランジ補強部材が前フランジ部とともに糸巻胴部にねじ止めされているので、前フランジ補強部材と前フランジ部との一体性を確保することができ、前フランジ補強部材によって前フランジ部の強度および剛性を向上することができる。したがって、前フランジ部は変形しにくくなる。
【００１６】
発明７に係るスピニングリールのスプールは、発明１から６のいずれかに記載のスピニングリールのスプールにおいて、前フランジ固定部材が前フランジ部を貫通して糸巻胴部にねじ止めされている。この場合、前フランジ固定部材が前フランジ部を貫通して糸巻胴部にねじ止めされているので、前フランジ部と前フランジ固定部材とで前フランジ補強部材を挟持した状態で、前フランジ固定部材は糸巻胴部に固定される。このように前フランジ固定部材が糸巻胴部に固定されることで、前フランジ部は、前フランジ補強部材との一体性を確保でき、強度および剛性が向上する。したがって、前フランジ部は変形しにくくなる。
【００１７】
発明８に係るスピニングリールのスプールは、発明１から７のいずれかに記載のスピニングリールのスプールにおいて、前フランジ補強部材が、前フランジ部を糸巻胴部に向けて付勢可能な弾性体である。この場合、前フランジ補強部材が、前フランジ部を糸巻胴部に向けて付勢可能な弾性体となっているので、前フランジ補強部材によって前フランジ部の前方への変形が効果的に規制され、前フランジ部を変形しにくくすることができる。
【００１８】
発明９に係るスピニングリールのスプールは、発明１から８のいずれかに記載のスピニングリールのスプールにおいて、糸巻胴部の後端部に設けられたスカート部をさらに備えている。この場合、スカート部が糸巻胴部の後端部に形成されているので、糸巻胴部の剛性をより向上することができ、さらには、リール本体に容易に位置決めして装着することができる。
【００１９】
【発明の実施の形態】
〔全体構成及びリール本体の構成〕
本発明の一実施形態を採用したスピニングリールは、図１に示すように、ハンドル１を回転自在に支持するリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル１は、リール本体２の左側および右側のいずれにも装着可能である。
【００２０】
リール本体２は、図１および図２に示すように、開口を有するリールボディ２ａと、開口を塞ぐようにリールボディ２ａに着脱自在に装着された蓋部材２ｂと、蓋部材２ｂから斜め上前方に延びる竿取付脚２ｃとを有している。リールボディ２ａは内部に空間を有している。この空間内には、ハンドル１の回転に連動してロータ３を回転させるロータ駆動機構５と、スプール４を前後に移動させて釣り糸を均一に巻き取るためのオシレーティング機構６とが設けられている。
【００２１】
ロータ駆動機構５は、図２に示すように、ハンドル１が固定されたメインギア軸１０とともに回転するメインギア１１と、このメインギア１１に噛み合うピニオンギア１２とを有している。ピニオンギア１２は、筒状に形成され、ロータ３の中心部を貫通している。そして、ピニオンギア１２の前部１２ａが、ナット１３によってロータ３に固定されている。また、ピニオンギア１２の中間部と後端部とが、それぞれ軸受１４ａ，１４ｂを介してリール本体２に回転自在に支持されている。
【００２２】
オシレーティング機構６は、図２に示すように、スプール４の中心部を貫通してドラグ機構６０に連結されたスプール軸１５を前後方向に移動させることで、スプール４をドラグ機構６０とともに前後移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２は、スプール軸１５の後端に回転不能に固定されている。中間ギア２３は、図示しない減速機構を介してピニオンギア１２に噛み合っている。この減速機構によって、オシレーティング機構６の前後移動速度が遅くなり、釣り糸をスプール４に緻密に巻き付けることができる。
【００２３】
〔ロータの構成〕
ロータ３は、図２に示すように、円筒部３０と、円筒部３０の側方に互いに対向して設けられた第１及び第２ロータアーム３１，３２とを有している。円筒部３０と両ロータアーム３１，３２とは一体に成形されている。
円筒部３０の前部には前壁３３が形成され、この前壁３３の中央部にはボス部３３ａが設けられている。ボス部３３ａの中心部には貫通孔が形成され、この貫通孔をピニオンギアの前部１２ａおよびスプール軸１５が貫通している。前壁３３の前部にはナット１３が配置され、このナット１３によってピニオンギア１２の前部１２ａがロータ３に固定されている。
【００２４】
第１ロータアーム３１は、円筒部３０から外方に向けて凸状に湾曲して前方へと延びている。第１ロータアーム３１の先端外周側には、第１ベール支持部材４０が揺動自在に装着されている。第１ベール支持部材４０の先端には、釣り糸をスプール４に案内するためのラインローラ４１が装着されている。第２ロータアーム３２は、円筒部３０から外方に凸に湾曲して前方に延びている。第２ロータアーム３２の先端外周側には、第２ベール支持部材４２が揺動自在に装着されている。ラインローラ４１と第２ベール支持部材４２との間には、線材を略Ｕ状に湾曲させたベール４３が固定されている。これらの第１及び第２ベール支持部材４０，４２、ラインローラ４１およびベール４３によって、ベールアーム４４は構成される。ベールアーム４４は、図２に示す糸案内姿勢とそれから反転した糸開放姿勢との間で揺動自在である。
【００２５】
ロータ３の円筒部３０の内部にはロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００２６】
〔スプールの構成〕
スプール４は、図２から図４に示すように、ロータ３の第１ロータアーム３１と第２ロータアーム３２との間に配置されており、スプール軸１５の先端にドラグ機構６０を介して装着されている。スプール４は、糸巻胴部４ａと、糸巻胴部４ａの前端部に固定された前フランジ部４ｃと、前フランジ部４ｃの前部に配置された前フランジ補強部材４ｂと、前フランジ部４ｃとの間に前フランジ補強部材４ｂを挟持して糸巻胴部４ａに取り付けられた前フランジ固定部材５５と、糸巻胴部４ａの後端部に一体に形成されたスカート部４ｈとを備えている。ここで、糸巻胴部４ａ、前フランジ補強部材４ｂおよび前フランジ部４ｃはステンレスで、前フランジ固定部材５５は合成樹脂で形成されている。
【００２７】
糸巻胴部４ａは、円筒状の部材であり、外周面がスプール軸１５と平行な周面に形成されている。糸巻胴部４ａは、釣り糸が巻き付けられる筒状部４ｄと、筒状部４ｄの内周面に設けられた支持部４ｅとを有している。この糸巻胴部４ａは、支持部４ｅにおいて、スプール軸１５に対して回転自在かつ後方への移動が規制された状態で、スプール軸１５に装着されている。
【００２８】
前フランジ部４ｃは、図３および図４に示すように、金属薄板をプレス加工してリング状に形成されている。リング状に形成された前フランジ部４ｃは、外周側が前方に向かってテーパ状に傾斜している。また、前フランジ部４ｃは、外周縁を前側に重ねるように折り曲げ加工され、折り曲げ部分４ｆが形成されている。この前フランジ部４ｃは、糸巻胴部４ａの前端部で径方向外方に突出して装着される。
【００２９】
前フランジ補強部材４ｂは、図３および図４に示すように、前フランジ部４ｃより薄く、かつ糸巻胴部４ａの筒状部４ｄより大径に形成されている。そして、前フランジ補強部材４ｂは、前フランジ部４ｃの折り曲げ部分４ｆの内周縁の内側に配置され、前フランジ部４ｃを糸巻胴部に向けて付勢可能になっている。この前フランジ補強部材４ｂは、等間隔に配置された４本のねじ９０により、前フランジ部４ｃとともに糸巻胴部４ａの前面に固定されている。
【００３０】
前フランジ固定部材５５は、図３および図４に示すように、外周部が前フランジ部４ｃの折り曲げ部分４ｆに接触して先細りしたテーパ部５５ａと、糸巻胴部４ａの筒状部４ｄの前側内周面に密着する内筒部５５ｂと、テーパ部５５ａと内筒部５５ｂとを連結する連結部５５ｃとを有している。連結部５５ｃでは、４本のねじ９１が、ねじ９０に対して互い違いになるように等間隔に配置されている。このねじ９１が、前フランジ固定部材５５を、前フランジ補強部材４ｂと前フランジ部４ｃとを貫通して糸巻胴部４ａに固定する。
【００３１】
〔ドラグ機構の構成〕
ドラグ機構６０は、図４に示すように、スプール４の糸繰り出し方向への回転を制動して、スプール４にドラグ力を作用させるための機構である。ドラグ機構６０は、ドラグ力を手で調整するためのつまみ部６１と、つまみ部６１によってスプール４側に押圧される摩擦部６２と、摩擦部６２への液体の浸入を防止するためのシール部材６３とを備えている。
【００３２】
つまみ部６１は、第１部材６５と、第１部材６５に対向して配置された第２部材６６と、両部材６５，６６を相対回転自在かつ軸方向移動不能に連結する連結部材６７とを有している。第１部材６５は、リング状の鍔部６５ａと、鍔部６５ａより小径の円筒部６５ｂとを有し、スプール軸１５に軸方向移動自在に取り付けられている。円筒部６５ｂの外周面には、シール部材６３を装着するための環状溝６５ｅが形成されている。この円筒部６５ｂの後端面は、摩擦部６２に当接している。第２部材６６は、第１部材６５の鍔部６５ａを覆うように第１部材６５に向けて筒状に突出する部材である。第２部材６６は、つまみ本体７０と、つまみ本体７０に回転不能かつ軸方向移動自在に装着されるナット部７２と、ナット部７２と第１部材６５との間に配置されたばね部材７３とを有している。そして、第２部材６６は、ナット部７２を介して第１部材６５と相対回転自在にスプール軸１５に螺合している。
【００３３】
摩擦部６２は、第１部材６５に接触し、かつスプール軸１５に対して回転不能な複数の金属製円板部材で構成されている。摩擦部６２の前面には、抜け止めばね７５が接触している。抜け止めばね７５は、５角形状に形成されている。この抜け止めばね７５の各角部は、摩擦部６２より径方向外方に突出しており、糸巻き胴部４ａの筒状部４ｄ内周面に形成された環状の係止溝４ｇで係止されている。摩擦部６２の後面は、糸巻胴部４ａの支持部４ｅの前面に当接し、後方への移動が規制されている。これらのことから、つまみ部６１をスプール軸１５から外しても、摩擦部６２が糸巻胴部４ａから脱落しない。
【００３４】
シール部材６３は、装着部６３ａと、装着部６３ａから前フランジ固定部材５５の内筒部５５ｂに向かって延びる第１シール部６３ｂと、装着部６３ａから第２部材６６の突出部分に向かって延びる第２シール部６３ｃとを有している。装着部６３ａは、凹状の環状溝６５ｅに係止可能なリング状の部分である。第１シール部６３ｂは、つまみ部６１の第１部材６５とスプール４の前フランジ固定部材５５との隙間をシールするものである。また、第２シール部６３ｃは、つまみ部６１の第１部材６５と第２部材６６との隙間をシールするものである。
【００３５】
〔リールの操作及び動作〕
釣りを行う前には、まず、魚の大きさや種類に合わせてドラグ力を調整する。ドラグ力は、つまみ本体７０を回すことによって調節することができる。つまみ本体７０を時計回りに回すと、スプール軸１５に螺合したナット部７２が後方へと移動し、ばね部材７３を介して第１部材６５が摩擦部６２側に押し込まれる。すると、摩擦部６２は糸巻胴部４ａによって後方への移動が規制されているため、摩擦部６２の複数の円板部材が互いに押圧しあう。このとき、複数の円板部材はスプール軸１５に対して互いに回転不能になっているので、スプール４に作用するドラグ力は強くなる。このように、スプール４に作用するドラグ力を所定の値に設定しておく。
【００３６】
次に、キャスティングしてリール本体２から釣り糸を繰り出すために、ベールアーム４４を反転させると、第１および第２ベール支持部材４０，４２が揺動し、ベールアーム４４を糸開放姿勢にすることができる。この状態で、釣り竿を握る手の人差し指で釣り糸を引っかけながら釣り竿をキャスティングする。すると、釣り糸は仕掛けの重さによって勢いよく前方に放出される。そして、ハンドル１を糸巻取方向に回転させると、ロータ駆動機構５によりロータ３が糸巻取方向に回転し、ベールアーム４４がベール反転機構（図示せず）により糸巻取位置に復帰し、釣り糸がスプール４に巻き付けられる。
【００３７】
魚がかかって、魚が所定のドラグ力を越える力で釣り糸を引き込むと、ドラグ機構が作動してスプール軸１５とスプール４とが相対回転する。このようにドラグ機構が作動するような場合、釣り糸には強い引張力が生じている。このとき、釣竿をしゃくりながらハンドルを回転させ、釣り糸をスプールへと巻き取っていくと、前フランジ部は釣り糸によって前方に強く押圧される。特に、前フランジ部の外周側が前方に向かってテーパ状に傾斜していると、前フランジ部は釣り糸によって前方により強く押圧される。すると、状況によっては、前フランジ部が前方へと変形することがある。本実施形態のスプールでは、前フランジ補強部材が、糸巻胴部の釣り糸巻き付け部分より大径に形成され、前フランジ部と前フランジ固定部材との間に装着されているので、前フランジ部が釣り糸によって前方に押圧されても、前フランジ補強部材によって、前フランジ部の強度および剛性が向上し、前フランジ部が変形しにくくなっている。また、前フランジ補強部材は、前フランジ部を糸巻胴部に向けて付勢可能に形成されているので、前フランジ補強部材によって前フランジ部の前方への変形が規制される。
【００３８】
〔他の実施形態〕
（ａ）  前記実施形態では、糸巻胴部４ａ、前フランジ補強部材４ｂおよび前フランジ部４ｃがステンレス製で、前フランジ固定部材５５が合成樹脂製の場合の例を示したが、各部材４ａ，４ｂ，４ｃ，５５を形成する材質は、前記実施形態に限定されず、リール本体２の強度および剛性を確保することができれば、どうのようなものでも良い。たとえば、各部材４ａ，４ｂ，４ｃ，５５をアルミニュウム製にすると、スプール４の軽量化を図ることができる。また、チタン製にすると、スプール４の軽量化が図れるだけでなく、強度や剛性も同時に確保することができる。
【００３９】
（ｂ）  前記実施形態では、前フランジ補強部材４ｂが前フランジ部４ｃを糸巻胴部４ａに向けて付勢している場合の例を示したが、前フランジ部４ｃへの前フランジ補強部材４ｂの設置方法は、前記実施形態に限定されず、前フランジ部４ｃの強度や剛性を向上することができれば、どのようなものでも良い。なお、前フランジ補強部材４ｂと前フランジ部４ｃとで強度や剛性を十分に確保することができれば、前フランジ補強部材４ｂは、必ずしも糸巻胴部４ａに向けて付勢可能に形成する必要はない。
【００４０】
【発明の効果】
本発明によれば、スピニングリールのスプールにおいて、前フランジ補強部材が、糸巻胴部の釣り糸巻き付け部分より大径に形成され、前フランジ部と前フランジ固定部材との間に装着されているので、前フランジ部が釣り糸によって前方に押圧されても、前フランジ補強部材によって、前フランジ部の強度および剛性が向上し、前フランジ部を変形しにくくすることができる。
【図面の簡単な説明】
【図１】本発明の一実施形態を採用したスピニングリールの側面図。
【図２】スピニングリールの側面断面図。
【図３】前フランジ部および前フランジ補強部材の正面図。
【図４】スプール部分（Ｉ−Ｉ）およびドラグ部分の断面拡大図。
【符号の説明】
３  ロータ
４  スプール
４ａ  糸巻胴部
４ｂ  前フランジ補強部材
４ｃ  前フランジ部
４ｄ  筒状部
４ｅ  支持部
４ｆ  折り曲げ部分
４ｈ  スカート部
１５  スプール軸
３１  第１ロータアーム
３２  第１ロータアーム
５５  前フランジ固定部材
５５ａ  テーパ部分
５５ｂ  内筒部
５５ｃ  連結部
６０  ドラグ機構
【図１】
2004166642.tif 000003
【図２】
2004166642.tif 000004
【図３】
2004166642.tif 000005
【図４】
2004166642.tif 000006